(57)【要約】【課題】キー入力の煩わしさを軽減して操作性を向上させた携帯電話機を提供する。【解決手段】本発明の携帯電話機１０において、サブのディスプレイ３に従来のテンキーのような仮名五十音図の１０行５段の配列に対応した「あ」段から「わ」段の複数の文字段キーが表示され、スクロールボタン２が操作されて反転カーソルが所望の文字段キーに移動され、入力キー１が押下されることにより文字段キーが決定される。決定された文字段キーに配列される複数の文字に対応する複数の文字キーがディスプレイ３に表示され、スクロールボタン２が操作されて反転カーソルが所望の文字キーに移動され、入力キー１が押下されることにより当該文字キーに対応する文字が入力される。【選択図】図１
2008052686.tif 000002
【特許請求の範囲】
【請求項１】
上部と下部とで二つ折りに閉じられる筐体と、
この筐体の上部に設けられて画像情報と文字情報を表示する第１の表示手段と、
上記筐体の下部に設けられて文字情報と画像情報を表示する第２の表示手段と、
この第２の表示手段に表示される文字情報を選択する選択手段と、
この選択手段で選択された文字情報を入力する１個の入力キーと、
を具備したことを特徴とする携帯電話機。
【請求項２】
上部と下部とで二つ折りに閉じられる筐体と、
この筐体の上部に設けられて画像情報と文字情報を表示する第１の表示手段と、
上記筐体の下部に設けられて文字情報と画像情報を表示する第２の表示手段と、
この第２の表示手段に表示される文字情報を選択し、この選択された文字情報を入力する選択入力手段と、
を具備したことを特徴とする携帯電話機。
【請求項３】
横長の上部と下部とが設けられ、当該上部と下部とで二つ折りに閉じられる筐体と、
この筐体の上部に設けられたワンセグ放送のテレビ画像等の画像情報と文字情報を表示する第１の表示手段と、
上記筐体の下部に設けられて文字情報と画像情報を表示する第２の表示手段と、
この第２の表示手段に表示される文字情報を選択する選択手段と、
この選択手段で選択された文字情報を入力する１個の入力キーと、
通話機能を実行するための送受話手段を接続する接続手段と、
を具備したことを特徴とする携帯電話機。
【請求項４】
横長の上部と下部とが設けられ、当該上部と下部とで二つ折りに閉じられる筐体と、
この筐体の上部に設けられたワンセグ放送のテレビ画像等の画像情報と文字情報を表示する第１の表示手段と、
上記筐体の下部に設けられて文字情報と画像情報を表示する第２の表示手段と、
この第２の表示手段に表示される文字情報を選択する選択手段と、
この選択手段で選択された文字情報を入力する１個の入力キーと、
通話機能を実行するための送受話手段と無線で通信接続する通信接続手段と、
を具備したことを特徴とする携帯電話機。
【請求項５】
横長の上部と下部とが設けられ、当該上部と下部とで二つ折りに閉じられる筐体と、
この筐体の上部に設けられたワンセグ放送のテレビ画像等の画像情報と文字情報を表示する第１の表示手段と、
上記筐体の下部に設けられて文字情報と画像情報を表示する第２の表示手段と、
この第２の表示手段に表示される文字情報を選択し、この選択された文字情報を入力する選択入力手段と、
通話機能を実行するための送受話手段を接続する接続手段と、
を具備したことを特徴とする携帯電話機。
【請求項６】
横長の上部と下部とが設けられ、当該上部と下部とで二つ折りに閉じられる筐体と、
この筐体の上部に設けられたワンセグ放送のテレビ画像等の画像情報と文字情報を表示する第１の表示手段と、
上記筐体の下部に設けられて文字情報と画像情報を表示する第２の表示手段と、
この第２の表示手段に表示される文字情報を選択し、この選択された文字情報を入力する選択入力手段と、
通話機能を実行するための送受話手段と無線で通信接続する通信接続手段と、
を具備したことを特徴とする携帯電話機。
【発明の詳細な説明】
【技術分野】
【０００１】  この発明は、例えばワンセグ放送のテレビを見る機能を有して文字情報を入力する携帯電話機に関する。
【背景技術】
【０００２】  従来、携帯電話機で文字入力する際、携帯電話機は１２個ほどのキーに、数字、かな文字、英字を設定し、入力モードを切り替えるモードキーを用いてモード変更し、数字入力モード、かな入力モード、英字入力モード等に切り替えて入力している。
このような携帯電話機では、キーが小さい上に何回もキーを押さなければならないので指の疲労が激しく、キーが小さいこともあって例えば高齢者も敬遠するものとなっている。
携帯電話機では特にキー打鍵回数が多くなり入力操作性が悪いということでキー数を少なくして入力するキー入力方法が提案されている（例えば特許文献１）。
しかしながら、それでも複数のキーを操作しなければならないので煩わしさは解消されず操作性が悪いという課題があった。
【特許文献１】  特許公開２００５−４５００号公報
【発明の開示】
【発明が解決しようとする課題】
【０００３】  上記したように、携帯電話機ではキーが小さい上に複数のキーを複数回打鍵しなければならないので煩わしく操作性が悪いという課題があった。
この発明の目的は、キー入力の煩わしさを軽減して操作性を向上させた携帯電話機を提供することである。
【課題を解決するための手段】
【０００４】  本発明によれば、上部と下部とで二つ折りに閉じられる筐体と、この筐体の上部に設けられて画像情報と文字情報を表示する第１の表示手段と、上記筐体の下部に設けられて文字情報と画像情報を表示する第２の表示手段と、この第２の表示手段に表示される文字情報を選択する選択手段と、この選択手段で選択された文字情報を入力する１個の入力キーとを具備したことを特徴とする携帯電話機が提供される。
また、本発明によれば、横長の上部と下部とが設けられ、当該上部と下部とで二つ折りに閉じられる筐体と、この筐体の上部に設けられたワンセグ放送のテレビ画像等の画像情報と文字情報を表示する第１の表示手段と、上記筐体の下部に設けられて文字情報と画像情報を表示する第２の表示手段と、この第２の表示手段に表示される文字情報を選択する選択手段と、この選択手段で選択された文字情報を入力する１個の入力キーと、通話機能を実行するための送受話手段を接続する接続手段とを具備したことを特徴とする携帯電話機が提供される。
【発明の効果】
【０００５】  本発明の携帯電話機は、従来のような１２個ほどのキーを用いることなく、１個のキーを用いてキー入力の煩わしさを軽減して操作性を向上させた文字入力をすることが可能となる。
【発明を実施するための最良の形態】
【０００６】  以下、図面を参照して、この発明の実施の形態について詳細に説明する。
図１は、この発明に係る携帯電話機１０の外観構成を示すものである。すなわち、この携帯電話機１０は、上部筐体１１と下部筐体１２とで二つ折りになる構成である。上部筐体１１には第１の表示手段としてワンセグ放送のテレビなどの画像情報及び文字情報を表示するメインのディスプレイ６が設けられている。なお、上部筐体１１は、９０度回転させて横向きにすることが可能な構成になっている。
下部筐体１２には、入力キー１、スクロールボタン２、第２の表示手段としてワンセグ放送の文字情報等の文字情報及び画像情報を表示するサブのディスプレイ３、開始ボタン４、電源／終了ボタン５とが設けられている。【０００７】  携帯電話機１０は、上述したように従来のテンキーに代わる入力キー１が１個だけ設けられている。また、入力キー１の周りには、選択手段としての反転表示のカーソルを移動させるスクロールボタン２が設けられている。このスクロールボタン２は、２ａの方向に押されるとディスプレイ３に表示された反転表示のカーソルが上方向に移動され、２ｂの方向に押されるとディスプレイ３に表示された反転表示のカーソルが下方向に移動され、２ｃの方向に押されるとディスプレイ３に表示された反転表示のカーソルが左方向に移動され、２ｄの方向に押されるとディスプレイ３に表示された反転表示のカーソルが右方向に移動される。【０００８】  携帯電話機１０では、メインのディスプレイ６とサブのディスプレイ３とが液晶表示器で構成されているが、エレクトロルミネッセンス等の他の薄型表示器を使用しても良い。【０００９】  次に、このような構成において携帯電話機１０の文字情報の入力方法について説明する。
例えば、ディスプレイ３には、待ち受け画面の際、入力キー１が押下されることによりメニュー画面が表示される。メニュー画面からスクロールボタン２を操作することにより「文字入力選択」が選択され、入力キー１が押下されることにより「文字入力選択」が決定される。
図２は、ディスプレイ３に表示されたメニュー画面例であり、スクロールボタン２の操作により「文字入力選択」が選択された状態を示している。【００１０】  図３は、入力キー１が押下されることにより「文字入力選択」が決定された際のディスプレイ３の表示を示すもので、ここでは「漢字（ひらがな）」が選択されている。ここで、入力キー１が押下されることにより「漢字（ひらがな）」が決定されたものとする。これで本携帯電話機１０は、漢字（ひらがな）の入力状態となる。【００１１】  図４は、ディスプレイ３に表示された漢字（ひらがな）の入力画面例である。ディスプレイ３には、従来のテンキーのように仮名五十音図の１０行５段の配列に対応した「あ」段から「わ」段の複数の文字段キーが表示される。すなわち、上段の左から「あ」、「か」、「さ」、次段に「た」、「な」、「は」、次々段に「ま」、「や」、「ら」、下段に「点、丸」、「わをん」、「記号」の各キーが表示される。この際、反転カーソルは、「な」キーに置かれている。
そこで、希望する文字が「け」の場合、スクロールボタン２の２ａを操作して反転カーソルを「か」段に移動させ、入力キー１を押下して決定する。【００１２】  図５は、「か」段が決定されたディスプレイ３の表示画面例である。この際、反転カーソルは、「か」キーに置かれている。そこで、スクロールボタン２の２ｄを操作して反転カーソルを「け」キーに移動させ、入力キー１を押下することにより文字「け」が入力される。【００１３】  図６は、文字「け」が入力されたディスプレイ３の表示例を示すもので、上部に文字「け」が表示され、次の文字入力のための仮名五十音図の１０行５段の配列に対応した「あ」段から「わ」段の複数の文字段キーが表示される。
このような操作を繰り返すことにより、たった１個の入力キー１により漢字（ひらがな）入力が可能となる。なお、従来のように、ひらがな入力の際、変換候補を表示するようにしても良い。
なお、携帯電話機１０では、入力された文字をメインのディスプレイ６に表示するようにしても良い。【００１４】  図７は、図３で示した「数字」が選択された際のディスプレイ３の表示例を示すものである。ディスプレイ３には、従来のテンキーのように、上段の左から「１」、「２」、「３」、次段に「４」、「５」、「６」、次々段に「７」、「８」、「９」、下段に「＊」、「０」、「＃」の各キーが表示される。この際、反転カーソルは、「５」キーに置かれる。反転カーソルがスクロールボタン２で移動されることにより数字が選択され、入力キー１を押下することにより数字が入力される。【００１５】  図８は、図３で示した「英字」が選択された際のディスプレイ３の表示例を示すものである。ディスプレイ３には、従来のテンキーのように、上段の左から「＠」、「ＡＢＣ」、「ＤＥＦ」、次段に「ＧＨＩ」、「ＪＫＬ」、「ＭＮＯ」、次々段に「ＰＱＲＳ」、「ＴＵＶ」、「ＷＸＹＺ」、下段に「＊」、「０」、「＃」の各キーが表示される。この際、反転カーソルは、「ＪＫＬ」キーに置かれる。
この「ＪＫＬ」キーが選択決定された場合、図９に示すように「Ｊ」、「Ｋ」、「Ｌ」の各キーが表示され、「Ｊ」キーに置かれた反転カーソルがスクロールボタン２で移動されることにより英字が選択され、入力キー１を押下することにより英字が入力される。【００１６】  なお、図１に示すように携帯電話機１０は、第２の表示手段としてサブのディスプレイ３を設けたことにより、メインのディスプレイ６でワンセグ放送の映像を表示し、ディスプレイ３で文字情報を表示することができる。さらにメインのディスプレイ６でワンセグ放送の映像を表示しつつ、サブのディスプレイ３を用いてメール等の文字情報を入力することも受信メールを表示することもできる。
また、ディスプレイ３上に透明電極を設けてディスプレイ上に表示された文字キーが選択押下されることにより選択入力するようにしても良い（選択入力手段）。この場合、入力キー１とスクロールボタン２を設ける必要がなく、図４，５，６，７，８，９に示すような文字キーがディスプレイ３上に表示され、透明電極が押下された位置に表示された文字キーに対応する文字が入力される。【００１７】  図１０は、例えば電子辞書のような横長に構成された携帯電話機２０の例を示すものである。携帯電話機２０は、横長の上部筐体２１と下部筐体２２とで二つ折りに閉じる構成となっている。携帯電話機１０と同一構成には同一符号を付して説明を省略する。
携帯電話機２０は、上述した携帯電話機１０と同一機能を有しているが、下部筐体２２の側面に接続手段としてのイヤホンマイク端子８が設けられている。携帯電話機２０はイヤホンマイク端子８に送受話手段としてのイヤホンマイク（図示せず）を接続して通話機能が実行される。なお、携帯電話機２０にＢｌｕｅｔｏｏｔｈ（登録商標）機能を設け（通信接続手段）、ワイヤレスでＢｌｕｅｔｏｏｔｈ（登録商標）イヤホンマイク（図示せず）で通話機能を実行するようにしても良い。
携帯電話機２０は、上部筐体２１に携帯電話機１０より大きいメインのディスプレイ６を設けることが可能となり、ワンセグ放送のテレビ画像をより大きい画面で観ることができる。
また、ディスプレイ３上に透明電極を設けてディスプレイ上に表示された文字キーが選択押下されることにより選択入力するようにしても良い（選択入力手段）。この場合、入力キー１とスクロールボタン２を設ける必要がなく、図４，５，６，７，８，９に示すような文字キーがディスプレイ３上に表示され、透明電極が押下された位置に表示された文字キーに対応する文字が入力される。【００１８】  以上説明したように上記発明の実施の形態によれば、携帯電話機において、メインディスプレイとは別のサブディスプレイを設けて１個の入力キーを用いるだけで数字、漢字（ひらがな）、英字を入力することが可能となり、操作性を向上させることができる。
また、横長の二つ折り筐体を用いた携帯電話機にすることにより、ワンセグ放送のテレビを観るためのメインディスプレイを大型化することが可能となる。
なお、上記実施の形態では、スクロールボタンを用いて上下左右に反転カーソルを移動させたが、上下のみ、あるいは左右のみに反転カーソルを移動させるようにしても良い。この場合、図４に示すような表示ではなく上下移動ならば上下に文字段を並べ、左右移動ならば左右に文字段を並べるようにする。
また、スクロールボタンは上下左右に反転表示のカーソルが移動されるように４つの方向ボタン、上下のみあるいは左右のみならば２つの方向ボタンを設けるようにしても良い。【００１９】  さらにスクロールボタンではなく、ダイヤルを用いて選択入力するようにしても良い。
要は、ディスプレイ上に表示された複数のキーが選択入力できれば良い。
また、携帯電話機１０の下部筐体１１に入力手段としての入力キー１と選択手段としてのスクロールボタン２を設けたが、下部筐体１１の側面にパーソナルコンピュータのマウスに設けられたスクロールボタンと同様のスクロールボタンを設けるようにしても良い。この場合、このスクロールボタンを回転させることによりディスプレイ３に表示されている文字キーが選択でき、このスクロールボタンを押すことにより当該選択した文字キーに対応する文字が入力でき、このスクロールボタンは選択手段と入力手段とを合わせ持った選択入力手段となる。【００２０】  なお、本願発明は、上記実施形態に限定されるものではなく、実施段階ではその要旨を逸脱しない範囲で種々に変形することが可能である。また、実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００２１】
【図１】本発明の実施の形態が適用可能な携帯電話機の一例を示す外観図。
【図２】携帯電話機のディスプレイの表示例を示す図。
【図３】携帯電話機のディスプレイの表示例を示す図。
【図４】携帯電話機のディスプレイの表示例を示す図。
【図５】携帯電話機のディスプレイの表示例を示す図。
【図６】携帯電話機のディスプレイの表示例を示す図。
【図７】携帯電話機のディスプレイの表示例を示す図。
【図８】携帯電話機のディスプレイの表示例を示す図。
【図９】携帯電話機のディスプレイの表示例を示す図。
【図１０】横長の携帯電話機の例を示す外観図。
【符号の説明】
【００２２】  １…入力キー、２…スクロールボタン（選択手段）、３，６…ディスプレイ（第１、第２の表示手段）、４…開始ボタン、５…電源／終了ボタン、８…イヤホンマイク端子（接続手段）、１０，２０…携帯電話機、１１，２１…上部筐体、１２，２２…下部筐体。
【図１】
2008052686.tif 000003
【図２】
2008052686.tif 000004
【図３】
2008052686.tif 000005
【図４】
2008052686.tif 000006
【図５】
2008052686.tif 000007
【図６】
2008052686.tif 000008
【図７】
2008052686.tif 000009
【図８】
2008052686.tif 000010
【図９】
2008052686.tif 000011
【図１０】
2008052686.tif 000012